(57)【要約】 【課題】暗渠構造で一部を開口した可変側溝Ａ内に、仮設配管の設置工事並びに撤収工事に際して、樹脂管を採用した仮設管Ｂが傷つくことなく、仮設管の差し込み作業並びに引き抜き作業を行なえるようにする側溝内仮設配管工事用ガイドを提供する。【解決手段】可変側溝Ａの開口部ａに臨む上蓋部ｂの端縁ｃの幅に対応した幅で、且つ上蓋部の厚さに対応した上下開口幅を有するＣ状板からなるガイド面部１と、前記ガイド面部の幅方向端縁に適宜高さ突出させて設けた外鍔部２とを備えてなり、ガイドを上蓋部ｂの端縁ｃに被せ、端縁をガイド面部１で覆うように装着する。【選択図】図１
0003138578.tif 000002
【実用新案登録請求の範囲】
【請求項１】
暗渠部分を有する可変側溝の開口部に臨む上蓋部の端縁幅に対応した幅で、且つ上蓋部の厚さに対応した上下開口幅を有するＣ状板からなるガイド面部と、前記ガイド面部の幅方向端縁に適宜高さ突出させて設けた外鍔部とを備えてなることを特徴とする側溝内仮設配管工事用ガイド。
【請求項２】
ガイド面部の前記上下開口箇所から背後方向に突設した装着腕部を設けてなる請求項１記載の側溝内仮設配管工事用ガイド。
【請求項３】
上方装着腕部を、ガイド面部の幅方向端縁側に設けると共に、外鍔部と連続する立面部を備え、前記立面部に把持用透孔を設けてなる請求項２記載の側溝内仮設配管工事用ガイド。
【考案の詳細な説明】
【技術分野】
【０００１】
本考案は、仮設配管を側溝内に設置並びに撤収する際に使用するガイドに関するものである。
【背景技術】
【０００２】
ガス管、水道管などの道路埋設配管の修理工事や取り替え工事の際に、修理対象配管でガス供給や水道供給を受けている利用者に対して、当該供給が滞らないように仮設配管を設置する。この仮設配管は通常道路脇に露出或いは埋設によって設置されるが、露出配管の場合には事故が生じやすく、また埋設配管の場合には溝掘削が必要であり煩雑である。そこで先に道路側溝内に仮設配管を設置する工法及び配管支持具を提案した（特許文献１）。
【０００３】
また仮設配管に使用する管部材として、軽量で且つ適宜な撓曲性を備えたポリエチレン管が採用され、前記樹脂製の管部材（ＰＥ管）の両端に、連結溝を備えた金属製の接続金具をインサート連結した仮設管を所定の連結具で連結して仮設管路を形成することも提案されている（特許文献２，３）。
【０００４】
【特許文献１】特開２００１−３５５７６４号公報。
【特許文献２】特開２００４−１００７７４号公報。
【特許文献３】登録実用新案第３１３１１５９号公報。
【考案の開示】
【考案が解決しようとする課題】
【０００５】
ところで道路側溝に仮設配管を構築しようとした場合、特許文献１に開示されているような明渠の側溝であれば何ら支障なく仮設配管路を構築することが出来るが、図５に例示する一部のみが開口（開口部ａ）し、一部が暗渠（上蓋部ｂ）である所謂可変側溝Ａの場合には、開口部ａから仮設管Ｂを差し入れて、側溝内に配管を構築する必要があり、また撤収工事においても開口部から仮設管を引き出す必要がある。
【０００６】
また暗渠状態では、特許文献１記載の支持金具などを使用しての中空配置は困難であるので、雨水などが流れる側溝の内底面に配管を設置状態で構築しなければならない。このため仮設管としては防食機能を備えた前記のＰＥ管を採用することになる。
【０００７】
ＰＥ管を採用した場合には、側溝の開口部ａから側溝Ａ内に押し込むと、上蓋部ｂの開口部側の縁に擦られて、仮設管（ＰＥ管）Ｂの表面が傷つけられてしまう。更に側溝Ａ内に配置した仮設管Ｂを引き出す際にも同様に上蓋部ｂの縁で傷つけられることになる。
【０００８】
特に仮設管は繰り返し使用するものであるから、表面の傷は仮設管Ｂの耐久寿命を短くしてしまう。
【０００９】
そこで本考案は、前記の可変側溝Ａ内に仮設配管を設置する工事並びに撤収する工事の際に、仮設管Ｂが傷つくのを防止した新規なガイドを提案したものである。
【課題を解決するための手段】
【００１０】
本考案に係る側溝内仮設配管工事用ガイドは、暗渠部分を有する可変側溝の開口部に臨む上蓋部の端縁幅に対応した幅で、且つ上蓋部の厚さに対応した上下開口幅を有するＣ状板からなるガイド面部と、前記ガイド面部の幅方向端縁に適宜高さ突出させて設けた外鍔部とを備えてなることを特徴とするものである。
【００１１】
前記ガイドは、２個１組として使用されるもので、側溝の開口部に臨む前後の上蓋部の端縁が、ガイドの上下開口箇所から入り込んで、前記端縁をガイド面部で覆うように装着するもので、ガイドを装着した状態で仮設管を一方又は双方のガイド面部に添わせて側溝内に押し込んで側溝内に仮設配管を構築し、或いは引き抜いて撤収する。
【００１２】
従って側溝の上蓋部の縁はガイドで覆われることになるので、前記の設置工事並びに撤収工事において、仮設管（ＰＥ管）の表面に傷が付くようなことは生じない。
【００１３】
又本考案（請求項２，３）は、前記の側溝内仮設配管工事用ガイドにおいて、ガイド面部の前記上下開口箇所から背後方向に突設した装着腕部を設け、また特に上方装着腕部を、ガイド面部の幅方向端縁側に設けると共に、外鍔部と連続する立面部を備え、前記立面部に把持用透孔を設けてなるものである。
【００１４】
従ってガイド装着に際して上下装着腕部で上蓋部を挟持させるので、ガイドが安定して装着され、また把持用透孔を使用して、ガイドの運搬・装着脱作業が容易になる。
【考案の効果】
【００１５】
本考案の構成は上記のとおりで、可変側溝内への仮設配管の設置工事及び撤収工事に際して、本考案のガイドを、暗渠を有する可変側溝の開口部における上蓋部端縁に装着し、ガイド面部に仮設管を添わせて側溝内への差し込み作業並びに引き抜き作業を行うもので、前記の作業において樹脂管である仮設管の表面が、開口部に臨む上蓋部の縁によって傷つけられるのを防止でき、且つ側溝内への仮設配管の設置工事並びに撤収工事を効率的に行えるものである。
【考案を実施するための最良の形態】
【００１６】
次に本考案の実施形態について説明する。実施形態に示したガイドは、ガイド面部１と、外鍔部２と、装着腕部３で構成され、金属製或いは樹脂製で形成したものであるが、堅牢性並びに既成部材の利用の点から金属製が良い。
【００１７】
ガイド面部１は、暗渠部分を有する可変側溝Ａの開口部ａに臨む上蓋部ｂの端縁ｃの幅に対応した幅（２５０ｍｍ）で、且つ上蓋部ｂの厚さに対応した上下開口幅（装着開口部１１：１２０ｍｍ）を有するＣ状板である。尚前記のＣ状は金属管（内径１４１ｍｍ）を利用した場合には円弧形状であるが、特に限定されるものではない。
【００１８】
外鍔部２は、前記ガイド面部１の幅方向端縁（左右端縁）に、適宜高さ（３５ｍｍ）突出するように溶着したものである。
【００１９】
装着腕部３は、ガイド面部１の装着開口部１１の上下左右４箇所から背後方向へ適宜長さ（３５０ｍｍ）突設したもので、ガイド面部１の背後端縁に連結する横面部３１と、外鍔部２と連続する立面部３２を備え、特に左右の上方装着腕部３ａの立面部に把持用透孔３３を設けてなるものである。尚下方装着腕部３ｂはガイド面部の中央背後に一つ突設するようにしても良い。
【００２０】
而して前記ガイドは、仮設配管工事（設置工事及び撤収工事）において、可変側溝Ａの開口部ａ箇所に２個１組として使用されるもので、把持用透孔３３に指を通してガイドを持ち、上下装着腕部３ａ，３ｂで上蓋部ｂを挟むように開口部ａから差し入れ、側溝Ａの開口部ａに臨む前後の上蓋部ｂの端縁ｃが、装着開口部１１からガイド面部１で囲繞された空間に入れ込み、前記端縁ｃをガイド面部１で覆うように装着するものである。
【００２１】
そして仮設管Ｂの側溝Ａ内への差し込み作業並びに引き抜き作業を行なうもので、前記の作業において仮設管Ｂは、上蓋部ｂの端縁ｃに当接することなく、ガイド面部１と当接することになるので可変側溝Ａ内への仮設配管設置工事並びに撤収工事において、仮設管（ＰＥ管）の表面を傷つけることなく実施できたものである。
【図面の簡単な説明】
【００２２】
【図１】本考案の実施形態の全体斜視図。
【図２】同側面図。
【図３】同平面図。
【図４】同使用状態を示す断面図。
【図５】本考案のガイドの使用対象の側溝体の説明図。
【符号の説明】
【００２３】
１      ガイド面部
１１    装着開口部
２      外鍔部
３      装着腕部
３ａ    上方装着腕部
３ｂ    下方装着腕部
３１    横面部
３２    立面部
３３    把持用透孔
Ａ      側溝（可変側溝）
ａ      開口部
ｂ      上蓋部
ｃ      端縁
Ｂ      仮設管
【図１】
0003138578.tif 000003
【図２】
0003138578.tif 000004
【図３】
0003138578.tif 000005
【図４】
0003138578.tif 000006
【図５】
0003138578.tif 000007